(57)【要約】【課題】裏に糊剤が付いた付箋紙片を数十枚重ねて束にしてある付箋紙で、繰り返し貼着及び剥離が可能であって、付箋紙としての目印機能やメモ機能を保持しつつ、フレーム機能を兼ね備え、３通りに使用できる付箋紙を提供すること。【解決手段】裏面に繰り返し剥離及び接着が可能な粘着部６を有する付箋紙片２を複数枚重ねて構成する付箋紙１であって、任意の形の第一付箋部３、前記第一付箋部３の外周を内周とする枠状の第二付箋部４、前記第二付箋部４の外周を内周とする穴部を有する第三付箋部５を有し、前記第三付箋部５の穴部に前記第二付箋部４が、第二付箋部４の穴部に前記第一付箋部３が、着脱可能に嵌め込まれて一体となっている構成とすること。【選択図】図１
2013022735.tif 000002
【特許請求の範囲】
【請求項１】
裏面に繰り返し剥離及び接着が可能な粘着部を有する付箋紙片を複数枚重ねて構成する付箋紙であって、任意の形の第一付箋部、前記第一付箋部の外周を内周とする枠状の第二付箋部、前記第二付箋部の外周を内周とする穴部を有する第三付箋部を有し、前記第三付箋部の穴部に前記第二付箋部が、第二付箋部の穴部に前記第一付箋部が、着脱可能に嵌め込まれて一体となっていることを特徴とする付箋紙。
【請求項２】
前記第二付箋部が、内周の形状と外周の形状とが相似形であることを特徴とする請求項１記載の付箋紙。
【請求項３】
前記第一付箋部、前記第二付箋部、前記第三付箋部のいずれもが、裏面の一部に再剥離可能な接着材が塗布されていないめくり部を含むことを特徴とする請求項１又は請求項２記載の付箋紙。
【発明の詳細な説明】
【技術分野】
【０００１】
本発明は、裏に糊剤が付いた付箋紙片を数十枚重ねて束にした付箋紙に関する。
【背景技術】
【０００２】
付箋紙は、書籍などのページや見出しに目印として一時的に貼ったり、分類のために資料や箱などに色分けして貼ったり、備忘録的にメモを書いてデスクやＰＣに貼ったり、伝言メッセージなどを書いて人に渡したりするのに広く用いられており、従来より、オフィスのほか、学校や家庭でも多用されており、メタリック調で華やかなものや、絵柄を型抜きしステンシルとして使うものもある（例えば、特許文献１、２、３参照）。
【先行技術文献】
【特許文献】
【０００３】
【特許文献１】実登３０６６５０５号公報
【特許文献２】実登３１３８０８８号公報
【特許文献３】実登３１６５２６１号公報
【発明の概要】
【発明が解決しようとする課題】
【０００４】
若年層には、写真なども注目させたい部分に手書きでフレームをつけるなどしてデコレーションをして楽しむ傾向がある。しかし、従来の付箋紙では、実用性と若年層の遊び心の両方を満たしながら多様な用途に対応するというところまでは至っていないという問題があった。
【０００５】
したがって、本発明の目的は、繰り返し貼着及び剥離が可能であって、付箋紙としての目印機能やメモ機能を保持しつつ、フレーム機能を兼ね備え、３通りに使用できる付箋紙を提供することにある。
【課題を解決するための手段】
【０００６】
上記目的を達成するため、本発明は、次のように構成したものである。
【０００７】
本発明の第１の態様は、裏面に繰り返し剥離及び接着が可能な粘着部を有する付箋紙片を複数枚重ねて構成する付箋紙であって、任意の形の第一付箋部、前記第一付箋部の外周を内周とする枠状の第二付箋部、前記第二付箋部の外周を内周とする穴部を有する第三付箋部を有し、前記第三付箋部の穴部に前記第二付箋部が、第二付箋部の穴部に前記第一付箋部が、着脱可能に嵌め込まれて一体となっていることを特徴とする付箋紙を提供するものである。第一付箋部、第一付箋部、第三付箋部は、それぞれ別々に紙面や写真などに再剥離可能に貼り付けることができる。第一付箋部は、全体にコメント等のメモや絵が記入でき、従来の短冊形よりも目立つので目印効果も高い。第二付箋部は、目立たせたい部分を囲むように貼りつけることができ、縁どり効果を発揮でき、さらに、フレーム的な模様を記入することもできるので、縁どった対象によって、明るさを強調したり、かわいさを強調したりという効果を追加することができる。第三付箋部は、穴部にコメントしたい対象が含まれるように貼り付けて穴部の外側部分にコメント等を記入できるので、対象部分を汚さずにピンポイントで訂正などの指示を書き込む等、従来の短冊形よりも目印効果が高く、さらに、見た人に伝えたい部分や伝えたいことをより明確に伝えることができる。全てが一体となるので、持ち運び時には、三つそれぞれを別々に持ち運ぶ必要がなく、また、第一付箋部や第二付箋部の形が崩れることを防止できる。特に枠状の第二付箋部は、第一付箋部と第三付箋部によって、持ち運び時に外側に物がぶつかったり内側に物が引っ掛かったりすることを外側からも内側からも防止できる。
【０００８】
前記第二付箋部が、内周の形状と外周の形状とが相似形であることが好ましい。より縁どり効果が強調される。
【０００９】
前記第一付箋部、前記第二付箋部、前記第三付箋部のいずれもが、裏面の一部に再剥離可能な接着材が塗布されていないめくり部を含むことが好ましい。めくり部があることで、付箋紙片を剥がす際の利便性が上がる。さらに、表面の、前記めくり部が裏側にある部分に対応する部分に目印が印刷されていることが好ましい。目印があることによって、めくりやすい部分が一目で分かる。
【発明の効果】
【００１０】
本発明の付箋紙は、上述したとおりであるので、繰り返し貼着及び剥離が可能であって、付箋紙としての目印機能やメモ機能を保持しつつ、フレーム機能を兼ね備え、３通りに使用できる。
【図面の簡単な説明】
【００１１】
【図１】本発明の実施例１に係る付箋紙の全体構成図（一体時）である。
【図２】本発明の実施例１に係る付箋紙の全体構成図（分離時）である。
【図３】本発明の実施例１に係る付箋紙の全体構成図（めくり途中時）である。
【図４】本発明の実施例１に係る付箋紙の付箋紙片の裏面構成図である。
【図５】本発明の実施例１に係る付箋紙の第一付箋部の使用説明図である。
【図６】本発明の実施例１に係る付箋紙の第二付箋部の使用説明図である。
【図７】本発明の実施例１に係る付箋紙の第三付箋部の使用説明図である。
【発明を実施するための形態】
【００１２】
以下に、添付した図面を参照しながら、本発明の好適な実施例の構成及び作用を詳細に説明する。
【実施例１】
【００１３】
（構成）
図１は、本発明の実施例１に係る付箋紙の全体構成図（一体時）である。図２は、本発明の実施例１に係る付箋紙の全体構成図（分離時）である。図３は、本発明の実施例１に係る付箋紙の全体構成図（めくり途中時）である。実施例１の付箋紙１は、第一付箋部３と第二付箋部４と第三付箋部５とを有し、第一付箋部３と第二付箋部４と第三付箋部５とは、それぞれ、剥離紙からなる裏表紙の上に付箋紙片２を複数枚重ねて構成される。第一付箋部３と第二付箋部４と第三付箋部５とは、嵌め込み式となっている。詳細には、第二付箋部４は内周は第一付箋部３の外周と一致し、第一付箋部３は第二付箋部４の内側に、手指で着脱自在に嵌め込み、第三付箋部５は内周は第二付箋部４の外周と一致し、第二付箋部４は第三付箋部５の内側に、手指で着脱自在に嵌め込んである。図１は嵌め込んで一体としたとき、図２は各部に分離したときの状態を示す。図３は、第一付箋部３と第二付箋部４と第三付箋部５のそれぞれの一番上の付箋紙片２を少しめくりあげた状態を示す。本実施例においては、第一付箋部３はハート型、第二付箋部４は内周も外周もハート型である枠、第三付箋部５は短冊形で穴部がハート型であるが、ハート型に限らず、任意の形であり、星型等他の形状であってもよい。第二付箋部４は、内周がハート型で外周が三角型である枠状である等、外周と内周とが相似形である枠でなくてもよいが、本実施例においては、内周の形状と外周の形状とが相似形であり、より縁どり効果が強調される。
【００１４】
図４は、本発明の実施例１に係る付箋紙の付箋紙片の裏面構成図である。付箋紙片２は、裏面に繰り返し剥離及び接着が可能な粘着部６を有する。実施例１では、粘着部６には、一般に付箋紙用に使われる接着剤を塗布して粘着層を形成する。粘着部６が裏面全部でもよいが、本実施例では、粘着部６は裏面全面でなく、第一付箋部３と第二付箋部４と第三付箋部５のいずれもが、裏面の一部に再剥離可能な接着材が塗布されていないめくり部７を有する。めくり部７は、第一付箋部３と第二付箋部４と第三付箋部５の、いずれも端部を含む。それぞれがめくり部７を有することで、手指で容易にめくって一片ずつ剥がし、紙や写真などに貼り付けることができる。図４において、斜線で示した部分が粘着部６、斜線の内部分がめくり部７である。図４に示した付箋紙片２でも、第一付箋部３の外周を内周とする枠状の第二付箋部４、第二付箋部４の外周を内周とする穴部を有する第三付箋部を有し、前記第三付箋部の穴部に第二付箋部４が、第二付箋部４の穴部すなわち枠状の内側部分に第一付箋部３が、着脱可能に嵌め込まれて一体となっている。
【００１５】
本実施例では、表面は無地であるが、表面の、前記めくり部が裏側にある部分に対応する部分に目印が印刷されていてもよい。目印があることによって、めくりやすい部分が一目で分かる。目印は、例えばベタ塗りのカラー印刷であったり、星などのマークの印刷でもよい。
【００１６】
図５は、本発明の実施例１に係る付箋紙の第一付箋部の使用説明図である。付箋紙１から第一付箋部３を一枚剥離し、紙面８の任意の場所に貼りつける。紙の端から飛び出させて、紙面８を複数枚重ねても注目させたい紙面８の目印とできるほか、図５のように、第一付箋部３には、全体にコメント等のメモや絵が記入でき、従来の短冊形よりも目立つので目印効果も高い。第一付箋部３の形状によってポップに表現したり印象付けることもできる。
【００１７】
図６は、本発明の実施例１に係る付箋紙の第二付箋部の使用説明図である。付箋紙１から第二付箋部４を一枚剥離し、紙面８の任意の場所に貼りつける。目立たせたい部分を囲むように貼りつけることができ、縁どり効果を発揮でき、さらに、フレーム的な模様を記入することもできるので、縁どった対象によって、明るさを強調したり、かわいさを強調したりという効果を追加することができる。写真などにも、一部にフレームをつけてデコレーションを施すなどの使い方ができるため、若年層の需要にもマッチする。さらに、再剥離可能なので、自由に替えることができる。
【００１８】
図７は、本発明の実施例１に係る付箋紙の第三付箋部の使用説明図である。付箋紙１から第三付箋部５を一枚剥離し、紙面８の任意の場所に貼りつける。穴部にコメントしたい対象が含まれるように貼り付けて穴部の外側部分にコメント等を記入できるので、対象部分を汚さずにピンポイントで訂正などの指示を書き込む等、従来の短冊形よりも目印効果が高く、さらに、見た人に伝えたい部分や伝えたいことをより明確に伝えることができる。
【００１９】
第一付箋部３と第二付箋部４と第三付箋部５とは、互いに嵌め込むことによって、全てが一体となるので、持ち運び時には、三つそれぞれを別々に持ち運ぶ必要がなく、また、第一付箋部３や第二付箋部４の形が崩れることを防止できる。特に枠状の第二付箋部４は、第一付箋部３と第三付箋部５によって、持ち運び時に外側に物がぶつかったり内側に物が引っ掛かったりすることを外側からも内側からも防止できる。第一付箋部３と第二付箋部４と第三付箋部５とは、一体化すると短冊状になるため、それぞれ1片ずつ剥がして、貼り付ける対象となる紙等に、一体となるように貼り付けることによって、通常の短冊状の付箋として使用することもできる。
【００２０】
（効果）
本実施例によれば、繰り返し貼着及び剥離が可能であって、付箋紙としての目印機能やメモ機能を保持しつつ、フレーム機能を兼ね備え、３通りに使用できる。したがって、実用性と若年層の遊び心の両方を満たしながら多様な用途に対応できる。自由度が増すので、幅広いシーンで使うことができる。
【００２１】
以上、本発明の好適な実施例について説明したが、本発明は、かかる実施形態に限定されず、その発明の趣旨を逸脱しない範囲で種々の変形実施が可能である。当業者であれば、特許請求の範囲に記載された技術的思想の範囲内において、各種の変更例又は修正例に想到しうることは明らかであり、それらについても当然に本発明の技術的範囲に属するものと了解される。
【符号の説明】
【００２２】
１  付箋紙
２  付箋紙片
３  第一付箋部
４  第二付箋部
５  第三付箋部
６  粘着部
７  めくり部
８  紙面
【図１】
2013022735.tif 000003
【図２】
2013022735.tif 000004
【図３】
2013022735.tif 000005
【図４】
2013022735.tif 000006
【図５】
2013022735.tif 000007
【図６】
2013022735.tif 000008
【図７】
2013022735.tif 000009